【事件の表示】
　特願２０００−２５５６３２号「医療機器」拒絶査定不服審判事件〔平成１３年　６月１２日出願公開、特開２００１−１６０１０６号〕について、次のとおり審決する。
【結　論】
　本件審判の請求は、成り立たない。
【理　由】
Ｉ．手続の経緯
　本願は、平成１２年８月２５日（優先権主張　平成１１年９月２１日）の出願であって、平成１７年８月１９日付けで拒絶査定がなされ、同査定を不服として、平成１７年９月２９日に拒絶査定不服審判の請求がなされるとともに、平成１７年１０月３１日付けで明細書についての手続補正がなされたものである。
　
II．平成１７年１０月３１日付け手続補正についての補正却下の決定
［補正却下の決定の結論］
　平成１７年１０月３１日付けの手続補正（以下、「本件補正」という）を却下する。
　
［理由］
１．補正後の本願発明
　本件補正により補正された特許請求の範囲の請求項１の記載は以下の通りである。
　「　所定の医療行為を行うための医療器具と、
　前記医療器具に設けられた前記医療器具を識別するための識別情報を含む識別子と、
　所定の医療行為を行う際に前記医療器具に対して電力供給を行うために接続する医療機器本体と、
　前記医療機器本体に設けられ、前記識別子の識別情報を認識する非接触式の認識部と、
　前記医療機器本体に設けられ、前記認識部により認識された前記医療器具に対して電力の出力状況に基づく使用実績を検出する使用実績検出部と、
　前記使用実績検出部により検出された使用実績に関するデータを前記識別情報と関連付けて記録する使用実績記録部と、
　を備えたことを特徴とする医療機器。」
　
２．補正の目的
　本件補正は、補正前の請求項１乃至３を削除し、補正前の請求項４に記載した発明を特定するために必要な事項である「識別子」に、「医療器具を識別するための識別情報を含む」との限定を付加するとともに、「認識部」を「非接触式の認識部」と限定し、さらに、「使用実績に関するデータを記録する」を「使用実績に関するデータを前記識別情報と関連付けて記録する」と限定するものであり、かつ、補正後の請求項１に記載された発明は、補正前の請求項４に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）、以下に検討する。
　
３−１．引用例の記載事項
　原査定の拒絶の理由に引用された、特開平１０−３１４１４９号公報（以下、「引用例」という）には、図面と共に次の事項が記載されている。
イ．「【従来の技術】プローブが交換可能な電子測定器として、例えば図１２に示すような携帯型のパルスオキシメータ（血中酸素飽和度測定器）が存在する。この種パルスオキシメータは、光学プローブに設けられた光波長を異にする２種のＬＥＤから発光された光の反射量を検出することにより血中の酸素飽和度を算出測定するもので、その測定用の光学プローブは、通常、測定器本体にコネクタ接続される。」（【０００２】段落）
　
ロ．「図１は本発明の実施形態に於けるパルスオキシメータのこの発明に係る要部の構成を示すブロック図である。図１に於いて、１０は携帯型のパルスオキシメータ本体（ＰＯＸＭ）、２０はこのパルスオキシメータ本体（ＰＯＸＭ）１０にコネクタ（ＣＯＮ）を介して接続される光学プローブ（Ｐｒｏｂｅ）である。」（【００２７】段落）
　
ハ．「１３はＣＰＵ１１の計測処理等に供されるＲＡＭであり、ここでは例えば図７に示すようなプローブ管理テーブルの格納領域（Ａ）、図８に示されるプローブ使用時間等を計測するための内部カウンタ領域（Ｂ）等が確保される。内部カウンタ領域（Ｂ）はバックアップ電源（図示せず）により、記憶保持されるメモリである。
　１４は本体内部のシリアルＥＥＰＲＯＭであり、この第１実施形態に於いては、パルスオキシメータ本体（ＰＯＸＭ）１０に固有のユニークなコード（シリアル番号）等が格納される。
　１５は計測開始の際に操作される押し釦式の計測スイッチであり、その操作信号が計測開始指示信号としてＣＰＵ１１に入力される。１６は測定モードを設定するモードスイッチであり、ａ側接点に接続されているとき連続測定モードが設定され、ｂ側接点に接続されているときは、計測スイッチ１５が操作されたときのみ計測開始が指示される。」（【００２９】〜【００３１】段落）
　
ニ．「２４はプローブの使用時間（正確には計測用ＬＥＤ２１，２２を発光ドライブした時間）の積算データ、耐用時間等を記憶するシリアルＥＥＰＲＯＭ（Ｅ２ＰＲＯＭ）であり、ここではシリアルクロック端子、及びシリアルデータ端子がそれぞれコネクタ（ＣＯＮ）を介しＣＰＵ１１に接続されて、ＣＰＵ１１によりデータのリード／ライトアクセスが行なわれる。
　尚、上記実施形態では、受光素子としてフォトトランジスタを用いているが、フォトダイオードでも同様の効果が得られる。図２は光学プローブ（Ｐｒｏｂｅ）２０を使用するパルスオキシメータ本体（ＰＯＸＭ）１０が、そのプローブ使用に先立ち、自己のユニークな（本体に固有の）コード（ここではシリアル番号）を上記光学プローブ（Ｐｒｏｂｅ）２０内のシリアルＥＥＰＲＯＭ２４に登録する際の処理手順を示すフローチャートである。ここでは、１本のプローブが付け換えされるのは、本体４台までとする。
　図４は上記光学プローブ（Ｐｒｏｂｅ）２０に設けられたシリアルＥＥＰＲＯＭ２４に積算時間を書き込む際の処理手順を示すフローチャートであり、ここでは光学プローブ（Ｐｒｏｂｅ）２０を１時間（１Ｈ）使用する毎にシリアルＥＥＰＲＯＭ２４の積算時間を更新（インクリメント）する構成として、シリアルＥＥＰＲＯＭ２４の延命化を図っている。
　・・パルスオキシメータ本体（ＰＯＸＭ）１０のＲＡＭ１３内に設けた内部カウンタ（Ｂ）により１時間（１Ｈ）を単位にプローブ使用時間を計測し、１時間（１Ｈ）使用する毎に、シリアルＥＥＰＲＯＭ２４をアクセスして積算時間を更新（インクリメント）する構成としている。
　図５は上記光学プローブ（Ｐｒｏｂｅ）２０に設けられたシリアルＥＥＰＲＯＭ２４に格納されるデータの構造例を示す図である。ここでは、アドレス０に、光学プローブ（Ｐｒｏｂｅ）２０を使用した（即ち計測用ＬＥＤ２１，２２を使用した）積算時間が記憶される。ここでは、本体１０には、同時に２本のプローブを異なるコネクタに接続できるものとする。又、アドレス１〜４に、パルスオキシメータ本体（ＰＯＸＭ）１０に固有のユニークなシリアル番号と、プローブコネクタ番号が記憶される。尚、この実施形態では、プローブコネクタ番号をＰＮＯで示している。」（【００３５】〜【００３９】段落）
　
ホ．「ＣＰＵ１１は光学プローブ（Ｐｒｏｂｅ）２０がコネクタ接続されていることを認識すると、コネクタ（ＣＯＮ）を介して光学プローブ（Ｐｒｏｂｅ）２０に動作用電源を供給し、続いてシリアルＥＥＰＲＯＭ２４のデータを読出す。」（【００４６】段落）
　
ヘ．「このようにして、自己のユニークなシリアル番号をシリアルＥＥＰＲＯＭ２４に登録した後、このＥＥＰＲＯＭ２４に記録されていたプローブの耐用時間、各素子のランクを読み出して、プローブ管理テーブルの格納領域（Ａ）に格納する（図２ステップＣ２０）。
　そして図３、図４で示すように光学プローブ（Ｐｒｏｂｅ）２０の使用時間（即ち、計測用ＬＥＤ２１，２２を発光ドライブした時間）をＲＡＭ１３内の内部カウンタ（Ｂ）を用いて計時し、光学プローブ（Ｐｒｏｂｅ）２０を１時間（１Ｈ）使用する毎に、シリアルＥＥＰＲＯＭ２４をアクセスしてアドレス０の領域に格納された積算時間を読み込み、更新（インクリメント）する。そのトータル時間がＥＥＰＲＯＭ２４に記憶された耐用期間の時間内にあるか否かを判断し、ＥＥＰＲＯＭ２４に記憶された耐用時間を超えた場合はそのことを表示する。
　本体（ＰＯＸＭ）が任意の光学プローブを識別するのに、そのプローブが初めて本体に接続された時にＥ１に登録された、その本体のシリアル番号とＰＮＯを使い、これをプローブの識別番号とする。そして図８に示すように、本体は内部カウンタ領域（Ｂ）に接続されたプローブの識別番号と、それに対応するカウンタを登録する。
　例えば、本体が新品で、内部カウンタ領域（Ｂ）が全てＦＦＦＦＨである場合、プローブを接続すると、内部カウンタ領域Ｂ０にプローブ識別番号が登録され、Ｂ１をこれに対応するカウンタとし、カウンタの値を００００Ｈとする（図３ステップＤ１〜Ｄ６）。
　次に他の使用したプローブを接続すると、Ｂ０はもうＦＦＦＦＨでないので、Ｂ０とＥ１を比較して、同じであるかを判断し、異なっていれば次のＢ２をチャックし、これがＦＦＦＦＨならばＢ２にこのブロー部の識別番号を登録し、Ｂ３をこのプローブのカウンタとする。」（【００５４】〜【００５８】）
　
　これら記載と図面の記載とを検討すると、引用例に記載される光学プローブの機能として、「この種パルスオキシメータは、光学プローブに設けられた光波長を異にする２種のＬＥＤから発光された光の反射量を検出することにより血中の酸素飽和度を算出測定する・・」（記載事項イ．参照）と記載されており、血中の酸素飽和度を算出することは、診断の基礎をなす行為であり、広義の医療行為に属するものであるので、引用例には、
［Ａ］「医療行為の１つである血中の酸素飽和度を算出測定する光学プローブ」
が記載されている。
　そして、「図５は上記光学プローブ（Ｐｒｏｂｅ）２０に設けられたシリアルＥＥＰＲＯＭ２４に格納されるデータの構造例を示す図である。・・アドレス１〜４に、パルスオキシメータ本体（ＰＯＸＭ）１０に固有のユニークなシリアル番号と、プローブコネクタ番号が記憶される。尚、この実施形態では、プローブコネクタ番号をＰＮＯで示している。」（記載事項ニ．参照）及び「本体（ＰＯＸＭ）が任意の光学プローブを識別するのに、そのプローブが初めて本体に接続された時にＥ１に登録された、その本体のシリアル番号とＰＮＯを使い、これをプローブの識別番号とする。」（記載事項ヘ．参照）と引用例に記載されており、パルスオキシメータ本体が光学プローブを識別するための手段として、「本体のシリアル番号とＰＮＯ」が記載され、「図５は上記光学プローブ（Ｐｒｏｂｅ）２０に設けられたシリアルＥＥＰＲＯＭ２４」と記載される図５をみると、「Ｅ１に登録」とは、光学プローブ２０に設けられたシリアルＥＥＰＲＯＭ２４に登録することである。したがって、
［Ｂ］「光学プローブ２０に設けられた光学プローブ２０を識別するための情報を含む本体のシリアル番号とプローブコネクタ番号からなる識別番号を登録されるシリアルＥＥＰＲＯＭ２４」
が引用例に記載されている。
　次に、引用例には、「図１は本発明の実施形態に於けるパルスオキシメータのこの発明に係る要部の構成を示すブロック図である。図１に於いて、１０は携帯型のパルスオキシメータ本体（ＰＯＸＭ）、２０はこのパルスオキシメータ本体（ＰＯＸＭ）１０にコネクタ（ＣＯＮ）を介して接続される光学プローブ（Ｐｒｏｂｅ）である。」（記載事項ロ．参照）と記載されており、引用される図１をみると、パルスオキシメータ本体１０と光学プローブ２０の間にコネクタ（ＣＯＮ）が図示され、パルスオキシメータ本体１０にＣＰＵが配置される旨図示されている。そして、そのＣＰＵの機能の１として、「ＣＰＵ１１は光学プローブ（Ｐｒｏｂｅ）２０がコネクタ接続されていることを認識すると、コネクタ（ＣＯＮ）を介して光学プローブ（Ｐｒｏｂｅ）２０に動作用電源を供給し、続いてシリアルＥＥＰＲＯＭ２４のデータを読出す。」（記載事項ホ．参照）と記載されており、動作用電源をコネクタを介して供給するとされている。この光学プローブ（Ｐｒｏｂｅ）２０がコネクタ接続されることは、血中の酸素飽和度を算出のためであることを併せ勘案すると、
［Ｃ］「血中の酸素飽和度を算出するために光学プローブ２０に対して電力供給を行うために接続するパルスオキシメータ本体１０」
が引用例に記載されている。
　さらに引用例には、「・・図２は光学プローブ（Ｐｒｏｂｅ）２０を使用するパルスオキシメータ本体（ＰＯＸＭ）１０が、そのプローブ使用に先立ち、自己のユニークな（本体に固有の）コード（ここではシリアル番号）を上記光学プローブ（Ｐｒｏｂｅ）２０内のシリアルＥＥＰＲＯＭ２４に登録する際の処理手順を示すフローチャートである。ここでは、１本のプローブが付け換えされるのは、本体４台までとする。」（記載事項ニ．参照）と記載され、引用された図２のステップＣ１１の判別で、前記本体のシリアル番号とプローブコネクタ番号からなる識別番号Ｅ１と、本体のシリアル番号ＰＮｏとの異同を判別しており、図１を併せみると、プローブに設けられたシリアルＥＥＰＲＯＭ２４の識別番号をコネクタを介してＣＰＵが読み取ることとが記載され、それにより、光学プローブ２０を認識するものと認められるので、引用例には、
［Ｄ］「パルスオキシメータ本体２０に設けられ、シリアルＥＥＰＲＯＭ２４の識別番号の情報をコネクタを介して認識するＣＰＵ」
が記載されている。
　また、図２での正常な終了フローの以降に、図３、４に記載される作動状態のステップがあり、図４のステップＤ７で素子のドライブ、測定と表示が行われることを勘案すると、パルスオキシメータ本体２０は、前記の認識された光学プローブ２０に対して測定の動作がなされるものである。
　加えて、引用例には、「１３はＣＰＵ１１の計測処理等に供されるＲＡＭであり、ここでは例えば図７に示すようなプローブ管理テーブルの格納領域（Ａ）、図８に示されるプローブ使用時間等を計測するための内部カウンタ領域（Ｂ）等が確保される。・・２４はプローブの使用時間（正確には計測用ＬＥＤ２１，２２を発光ドライブした時間）の積算データ、耐用時間等を記憶するシリアルＥＥＰＲＯＭ（Ｅ２ＰＲＯＭ）であり、ここではシリアルクロック端子、及びシリアルデータ端子がそれぞれコネクタ（ＣＯＮ）を介しＣＰＵ１１に接続されて、ＣＰＵ１１によりデータのリード／ライトアクセスが行なわれる。」（記載事項ハ．参照）と記載され、ＣＰＵ１１により計測用ＬＥＤ２１，２２を発光ドライブした時間の積算データが、シリアルＥＥＰＲＯＭにライトアクセス即ち記録すると記載されている。
　そして、計測用ＬＥＤ２１，２２を発光ドライブした時間とは、通電により発光した時間であり、光学プローブ２０からの電力の出力に基づく発光の実績である。
　また、引用例には、「図４は上記光学プローブ（Ｐｒｏｂｅ）２０に設けられたシリアルＥＥＰＲＯＭ２４に積算時間を書き込む際の処理手順を示すフローチャートであり、ここでは光学プローブ（Ｐｒｏｂｅ）２０を１時間（１Ｈ）使用する毎にシリアルＥＥＰＲＯＭ２４の積算時間を更新（インクリメント）する構成として、シリアルＥＥＰＲＯＭ２４の延命化を図っている。
　・・パルスオキシメータ本体（ＰＯＸＭ）１０のＲＡＭ１３内に設けた内部カウンタ（Ｂ）により１時間（１Ｈ）を単位にプローブ使用時間を計測し、１時間（１Ｈ）使用する毎に、シリアルＥＥＰＲＯＭ２４をアクセスして積算時間を更新（インクリメント）する構成としている。」（記載事項ニ．参照）と記載されており、計測用ＬＥＤ２１，２２を発光ドライブした時間は、パルスオキシメータ本体（ＰＯＸＭ）１０のＲＡＭ１３内に設けた内部カウンタ（Ｂ）により検出し、シリアルＥＥＰＲＯＭ２４にインクリメントするとされている。
　この時間の積算に関してさらに引用例には、「このようにして、自己のユニークなシリアル番号をシリアルＥＥＰＲＯＭ２４に登録した後、このＥＥＰＲＯＭ２４に記録されていたプローブの耐用時間、各素子のランクを読み出して、プローブ管理テーブルの格納領域（Ａ）に格納する（図２ステップＣ２０）。
　そして図３、図４で示すように光学プローブ（Ｐｒｏｂｅ）２０の使用時間（即ち、計測用ＬＥＤ２１，２２を発光ドライブした時間）をＲＡＭ１３内の内部カウンタ（Ｂ）を用いて計時し、光学プローブ（Ｐｒｏｂｅ）２０を１時間（１Ｈ）使用する毎に、シリアルＥＥＰＲＯＭ２４をアクセスしてアドレス０の領域に格納された積算時間を読み込み、更新（インクリメント）する。そのトータル時間がＥＥＰＲＯＭ２４に記憶された耐用期間の時間内にあるか否かを判断し、ＥＥＰＲＯＭ２４に記憶された耐用時間を超えた場合はそのことを表示する。
・・・次に他の使用したプローブを接続すると、Ｂ０はもうＦＦＦＦＨでないので、Ｂ０とＥ１を比較して、同じであるかを判断し、異なっていれば次のＢ２をチャックし、これがＦＦＦＦＨならばＢ２にこのブロー部の識別番号を登録し、Ｂ３をこのプローブのカウンタとする。」（記載事項ヘ．参照）と記載され、このＥＥＰＲＯＭ２４に記録されていたプローブの耐用時間、各素子のランクを読み出して、プローブ管理テーブルの格納領域（Ａ）に格納して、積算を行うとされ、Ｅ１との比較において、その識別番号に応じたカウンタを内部カウンタ（Ｂ）に特定すると記載されているので、引用例には、シリアルＥＥＰＲＯＭ２４にインクリメントするために、識別番号の情報と関連付けて、前記通電時間を内部カウンタ（Ｂ）に登録することが記載されている。
　したがって、引用例には、
［Ｅ］「前記パルスオキシメータ本体１０（医療機器本体）に設けられ、前記ＣＰＵ１１（認識部）により認識された光学プローブ２０（前記医療器具）に対して電力を出力し発光させた状況に基づく使用の実績を検出する内部カウンタ（Ｂ）（使用実績検出部）と、
　前記内部カウンタ（Ｂ）（使用実績検出部）に検出された使用実績に関するデータは、識別番号の情報と関連付けて、記録されているものを、同識別番号を有するシリアルＥＥＰＲＯＭ２４にインクリメントするＣＰＵ１１（使用実績記録部）」
が記載されている。
　
　以上［Ａ］〜［Ｅ］を総合すると、引用例には、以下の発明（以下、「引用発明」という。）が記載されている。
　
　医療行為の１つである血中の酸素飽和度を算出測定するための光学プローブ２０と、
　前記光学プローブ２０に設けられた前記光学プローブ２０を識別するための本体のシリアル番号とプローブコネクタ番号からなる識別番号を含むシリアルＥＥＰＲＯＭ２４と、
　血中の酸素飽和度を算出測定する際に前記光学プローブ２０に対して電力供給を行うために接続するパルスオキシメータ本体１０と、
　前記パルスオキシメータ本体１０に設けられ、前記シリアルＥＥＰＲＯＭ２４の識別番号を認識するコネクタを介して認識するＣＰＵ１１と、
　前記パルスオキシメータ本体１０に設けられ、前記ＣＰＵ１１により認識された前記光学プローブ２０に対して電力を出力し発光させた状況に基づく使用の実績を検出する内部カウンタ（Ｂ）と、
　前記内部カウンタ（Ｂ）に検出された使用実績に関するデータは、識別番号の情報と関連付けて、記録されているものを、同識別番号を有するシリアルＥＥＰＲＯＭ２４にインクリメントするＣＰＵ１１と、
　を備えたパルスオキシメータ。
　
３−２．対比
　本願補正発明と引用発明とを対比すると、引用発明の「光学プローブ２０」は、血中の酸素飽和度を算出測定するものであり、その測定は、診断の前提をなす広義の医療行為に属するものとなり、他の測定を行わないことからは、所定の行為を行うというべきものであり、他方、本願補正発明を特定する「医療器具」は、発明の詳細な説明に記載される実施例において治療器具が記載されるとしても、本願補正発明を特定する記載は、「医療器具」であって、医療行為である診断の基礎をなす血中の酸素飽和度の測定の器具を排除するもののみに発明を特定する記載とは認められないので、引用発明の「光学プローブ２０」は、本願発明の所定の医療行為を行うための「医療器具」に相当するものである。
　そして、引用発明の「パルスオキシメータ」および「パルスオキシメータ本体１０」は、本願補正発明の「医療機器」および「医療機器本体」それぞれに相当する。
　また、引用発明の本体のシリアル番号とプローブコネクタ番号からなる「識別番号」は、その識別機能からみて、本願補正発明の「識別情報」に相当し、識別番号を含む部分の「シリアルＥＥＰＲＯＭ２４」は、本願補正発明の「識別子」に相当している。
　さらに、引用発明の「識別番号」を認識する部分の「ＣＰＵ１１」は、非接触式ではないものの、本願補正発明の識別子に相当する「識別番号」を認識する点においては、本願補正発明の「認識部」と識別子を「認識する部分」である点では共通している。
　そして、引用発明の「内部カウンタ（Ｂ）」が本願補正発明の医療器具に相当する光学プローブ２０に対して電力を出力し発光させた状況に基づく使用の実績を検出することは、医療器具に対して電力の出力状況に基づく使用実績を検出することに他ならず、「内部カウンタ（Ｂ）」は、本願補正発明の「使用実績検出部」に相当し、引用発明のＣＰＵ１１が「内部カウンタ（Ｂ）」において、「識別番号」と関連付けられている使用の実績の時間をシリアルＥＥＰＲＯＭ２４にインクリメントするのであるから、この部分の「ＣＰＵ１１」は、本願補正発明の「使用実績記録部」に相当する。
　そこで、本願補正発明の用語を用いて表現すると、両者は次の点で一致する。
（一致点）
「所定の医療行為を行うための医療器具と、
　前記医療器具に設けられた前記医療器具を識別するための識別情報を含む識別子と、
　所定の医療行為を行う際に前記医療器具に対して電力供給を行うために接続する医療機器本体と、
　前記医療機器本体に設けられ、前記識別子の識別情報を認識する部分と、
　前記医療機器本体に設けられ、前記認識する部分により認識された前記医療器具に対して電力の出力状況に基づく使用実績を検出する使用実績検出部と、
　前記使用実績検出部により検出された使用実績に関するデータを前記識別情報と関連付けて記録する使用実績記録部と、
　を備えたことを特徴とする医療機器。」
　そして、両者は次の相違点で相違する（対応する引用例記載の用語を（　）内に示す）。
（相違点）
　本願補正発明の認識する部分は、非接触式の認識部であるのに対し、引用発明の認識する部分（識別番号を認識する部分の「ＣＰＵ１１」）は、コネクタを介して認識するものであり、認識する部分を構成するＣＰＵ１１は、本願補正発明の「使用実績記録部」に相当する機能をも兼ねる点。
　
３−３．相違点の判断
　上記相違点について検討する。
　認識手段として、非接触式の手段は、特段の例示を待つまでもなく周知の手段であり、医療機器の認識手段としても、従来周知（参考例　特公平８−１５４８１号公報）の技術に属するものと認められるので、非接触式の採用は、周知技術の採用にすぎず、さらに、複数の異なる機能毎に独立した構成とすること、１の構成により異なる複数の機能を果たすように構成することの両者は、特段の例示を待つまでもなくともに周知の形式であって、その選択は、当業者にとって格別の困難性を伴う事項とは認められない。
　したがって、相違点に係る本願補正発明の発明特定事項のようにすることは、周知技術に基づいて当業者が容易に想到し得たことである。
　　
　そして、本願補正発明による効果も、引用発明及び周知技術から当業者が予測し得た以上の格別のものとは認められない。
　
　したがって、本願補正発明は、引用発明及び周知技術に基づいて、当業者が容易に発明をすることができたものであるので、特許法第２９条第２項の規定により、特許出願の際独立して特許を受けることができない。
　なお、請求人は、本願補正発明の使用実績記録部が医療機器本体に設けられるとして、このことも相違点としているが、「認識部」及び「使用実績検出部」が医療機器本体に設けられることは、本願補正発明を特定する特許請求の範囲の請求項１に特定されるものの、「使用実績記録部」を医療機器本体に設ける旨の特定は、請求項１には記載されていない。
　したがって、請求人の上記主張は、特許請求の範囲の記載に基づかないものであって、採用すべきものではなく、引用発明と本願補正発明の対比は、３−２．に記したとおりである。
　たとえ仮に「使用実績記録部」が医療機器本体に設けられるものに特定されると解しても、医療機器に係る情報の保持位置として、医療機器または医療機器を接続するものの何れに設けることも周知の配置（参考例　特公平８−１５４８１号公報の記憶部４、４’）であって、その選択は、当業者が適宜決定し得た設計上の事項にすぎない。
　
３−４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、特許法第１５９条第１項において読み替えて準用する同法第５３条第１項の規定により却下すべきものである。
　
III．本願の発明
　本件補正は、上記のとおり却下されたので、本願の請求項４に係る発明（以下、同項記載の発明を、「本願発明４」という）は、拒絶査定時の平成１７年１月４日けの手続補正書により補正された明細書の、特許請求の範囲の請求項４に記載された事項により特定される、以下のとおりのものである。
「所定の医療行為を行うための医療器具と、
　前記医療器具に設けられた識別子と、
　所定の医療行為を行う際に前記医療器具に対して電力供給を行うために接続する医療機器本体と、
　前記医療機器本体に設けられ、前記識別子に基づいて前記医療器具を認識する認識部と、
　前記医療機器本体に設けられ、前記認識部により認識された前記医療器具に対して電力の出力状況に基づく使用実績を検出する使用実績検出部と、
　前記使用実績検出部により検出された使用実績に関するデータを記録する使用実績記録部と、
　を備えたことを特徴とする医療機器。」
　
IV．引用例の記載事項
　原査定の拒絶の理由に引用された引用例、及び、その記載事項は、前記II.３−１．に記載したとおりである。
　
Ｖ．対比・判断
　本願発明４は、前記II.１の本願補正発明から、「識別子」の限定事項である「医療器具を識別するための識別情報を含む」との特定を省き、「認識部」の限定事項である「非接触式の」との特定を省いて、さらに、「使用実績に関するデータを記録する」の限定事項である「前記識別情報と関連付けて記録する」との特定を省いたものである。
　そうすると、本願発明４の発明特定事項をすべて含み、さらに、他の発明特定事項を付加したものに相当する本願補正発明が、前記II.３−２．及びII.３−３．に記載したとおり、引用発明および周知技術に基づいて、当業者が容易に発明をすることができたものであるから、本願発明４も、同様に、引用発明および周知技術に基づいて、当業者が容易に発明をすることができたものである。
　
　ここで、本願請求項１に記載される発明（以下、「本願発明１」）についても、進歩性を有するものであるか、検討しておく。
　本願発明１は、「所定の医療行為を行うために医療機器本体と、前記医療機器本体と接続して使用する医療器具からなる医療機器において、
　前記医療器具を使用する際の動作を検出する検出部と、
　前記医療機器の操作回数を保持する保持部と、
　前記検出部により検出された前記医療機器の動作に応じて、前記保持部に保持される操作回数を増加させる更新部と、
　を備えることを特徴とする医療機器。」と特定されるものである。　一方、II．３−１．に記載した内容からみて、引用例には、
　所定の医療行為である血中の酸素飽和度を算出測定するめのパルスオキシメータ本体１０と、パルスオキシメータ本体１０と接続して使用する光学プローブ２０とからなるパルスオキシメータにおいて、
　光学プローブ２０を使用する際の動作時間である使用の時間を検出する内部カウンタ（Ｂ）と、
積算時間を保持するシリアルＥＥＰＲＯＭ２４と、
内部カウンタ（Ｂ）により検出された使用の時間を光学プローブ２０の発光に応じてシリアルＥＥＰＲＯＭ２４に保持される積算時間にインクリメントするＣＰＵ１１
　を備えるパルスオキシメータ
の発明が記載されているということができる。
　そこで、両発明を対比すると、本願発明が操作回数を検出し、保持し、更新するのに対して、引用例に記載される発明は、操作に相当する発光の時間を検出し、保持し、積算時間を更新する点で相違し、残余の点で両発明は一致している。
　そして、積算時間に換えて使用回数とする点は、医療に係る装置の管理等にあたり、必要に応じて当業者が適宜選定すべき事項であって、格別の事項とは認められない。
　したがって、本願発明１も引用例に記載された発明及び周知の技術に基づいて当業者が容易に発明をすることができたものである。
　
VI．むすび
　以上のとおり、本願発明４及び本願発明１は、引用例に記載された発明及び周知技術に基づいて、当業者が容易に発明をすることができたものであるから、特許法第２９条第２項の規定により、特許を受けることができない。
　したがって、残余の発明について検討するまでもなく、本願は、原査定の拒絶の理由により拒絶されるべきものである。
　よって、結論のとおり審決する。